(57)【要約】【課題】前方から底蓋の開放作業を行うことにより、安全に内容物を排出することができるフレキシブルコンテナを提供する。【解決手段】上部が開口した四周胴部面の底面開口を前方側から後方側に向かって開口する底蓋と、該底蓋の先端側に延成され、前記前方側の胴部面に折り返す折り返し部と、該折り返し部を前記前方側胴部面に着脱可能に保持する着脱部と、該底蓋と前記底面開口の左右両辺同士を接続する左右一対の側片と、該左右一対の側片と前記底面開口の前方辺同士を接続する前片とを備え、前記底蓋を閉じたとき、前記左右一対の側片と前記前片とが折り畳まれて、当該底蓋の折り返し部と前記底面開口の前方辺との隙間から前記内容物の漏出を規制する。前片は、左右一対の側片の間で連続する一枚の四角片とするか、左右一対の側片それぞれで独立し、当該側片の間を開放する左右一対の三角片とする。【選択図】図１
2018002193.tif 000002
【特許請求の範囲】
【請求項１】
上部が開口した四周胴部面の底面開口を前方側から後方側に向かって開口する底蓋と、該底蓋の先端側に延成され、前記前方側の胴部面に折り返す折り返し部と、該折り返し部を前記前方側胴部面に着脱可能に保持する着脱部と、該底蓋と前記底面開口の左右両辺同士を接続する左右一対の側片と、該左右一対の側片と前記底面開口の前方辺同士を接続する前片とを備え、前記底蓋を閉じたとき、前記左右一対の側片と前記前片とが折り畳まれて、当該底蓋の折り返し部と前記底面開口の前方辺との隙間から前記内容物の漏出を規制することを特徴としたフレキシブルコンテナ。
【請求項２】
前片は、左右一対の側片の間で連続する一枚の四角片である請求項１記載のフレキシブルコンテナ。
【請求項３】
前片は、左右一対の側片それぞれで独立し、当該側片の間を開放する左右一対の三角片である請求項１記載のフレキシブルコンテナ。
【請求項４】
底蓋は、基端側の一部が胴部の底面開口の後方側一部を常時閉塞する請求項１、２または３記載のフレキシブルコンテナ。
【請求項５】
底蓋の折り返し部と胴部の前方側の一側面とは、環状体と紐との結束によって着脱可能である請求項１から４のうち何れか一項記載のフレキシブルコンテナ。
【発明の詳細な説明】
【技術分野】
【０００１】
この発明は、例えば玉葱や人参などの野菜を収穫・運搬するの使用するフレキシブルコンテナに係り、内容物の排出操作を胴部の前側から行う前部開放型のフレキシブルコンテナに関するものである。
【０００２】
一般にフレキシブルコンテナは胴部が円筒状であり、この胴部の底面には円筒状の排出筒を設けて、該排出筒を紐やロープなどで結束することにより閉じると共に、結束を解除することで底面を開口して内容物を排出するものである。本出願人も、トラクタ等を用いた機械的収穫によって比較的大量の野菜を収穫する際に用いるフレキシブルコンテナとして、円筒状の排出筒の内側に四枚の菊割り片により底蓋を形成したフレキシブルコンテナを開示している（特許文献１）。
【先行技術文献】
【特許文献】
【０００３】
【特許文献１】特開平１０−１７０７５号公報
【発明の概要】
【発明が解決しようとする課題】
【０００４】
上記従来のフレキシブルコンテナでは、内容物を排出する際、底面を開口するために、吊り上げた胴部の下に潜り込んでロープ等の結束を解除する作業を行わなければならず、その状態で内容物が一気に排出されるという危険があった。
【０００５】
本発明は上述した課題を解決するためになされたもので、その目的とするところは、前方から底蓋の開放作業を行うことにより、安全に内容物を排出することができるフレキシブルコンテナを提供することである。
【課題を解決するための手段】
【０００６】
上述した目的を達成するために本発明では、上部が開口した四周胴部面の底面開口を前方側から後方側に向かって開口する底蓋と、該底蓋の先端側に延成され、前記前方側の胴部面に折り返す折り返し部と、該折り返し部を前記前方側胴部面に着脱可能に保持する着脱部と、該底蓋と前記底面開口の左右両辺同士を接続する左右一対の側片と、該左右一対の側片と前記底面開口の前方辺同士を接続する前片とを備え、前記底蓋を閉じたとき、前記左右一対の側片と前記前片とが折り畳まれて、当該底蓋の折り返し部と前記底面開口の前方辺との隙間から前記内容物の漏出を規制するという手段を用いた。
【０００７】
上記手段によれば、胴部は、上面が内容物が投入可能に開口すると共に、底面を前記内容物が排出可能に開口した四角筒状であって、該胴部の一側面を前方側胴部面として、底蓋は、その基端を前記底面開口の後方側に接続すると共に、先端側の折り返し部を前記胴部の前方側胴部面に折り返して底面開口を閉じ、着脱部によって閉じ状態を維持する。その際、底面開口の左右両側は左右一対の側片によって完全に閉塞されているため、これらの部分から内容物が漏出することはない。一方、底面開口の前方辺は折り返し部を折り返したことによる隙間が不可避に生じるが、当該隙間は、底蓋を閉じる際に、左右一対の側片と前記前片とが折り畳まれて、前記内容物の漏出を規制するように閉じられる。
【０００８】
反対に、前記着脱部の結束等を解除すれば底蓋が開くのであるが、当該作業は、胴部の下に潜り込むことなく、胴部の前方側から行うことができる。そして、胴部の底面開口から排出される内容物は、底蓋と左右一対の側片と前片とで囲われた部分を排出口として取り出すことができる。
【０００９】
前片は、左右一対の側片の間で連続する一枚の四角片とすることで、底蓋を閉じた際、底面開口の前方辺と折り返し部との隙間を完全に閉塞でき、例えば人参など、僅かな隙間をぬって漏出しようとする比較的小さな内容物であっても、その漏出することを規制することができる。
【００１０】
一方、前片を、左右一対の側片それぞれで独立し、当該側片の間を開放する左右一対の三角片で構成することも可能である。この場合、前記隙間を完全に閉塞するには至らず、左右一対の前片の間に、折り返し部との隙間が残されるが、当該隙間は、前片を省略した場合よりも小さくなるため、例えば茎を残した状態で収穫された玉葱など、比較的大きな内容物であれば、その漏出を規制することができる。
【００１１】
なお、底蓋は、その基端を胴部の底面開口の下縁に直接接続すれば、当該底蓋を開けたときに底面開口の全部が開口して、内容物の排出量を高めることができるのに対して、底蓋の基端側の一部で胴部の底面開口の後方側一部を常時閉塞するように構成すれば、当該底蓋の一部で常閉の底が形成され、本フレキシブルコンテナの強度が高まり、また、保形性にも優れる。
【００１２】
さらに、底蓋の折り返し部と胴部の前方側胴部面との着脱構造は、バックルや面ファスナなどであってもよいが、Ｄ環などの環状体と紐との結束によって構成することが、より確実に底蓋の閉じ状態を維持し、また、その解除が容易となるため好ましい。
【発明の効果】
【００１３】
本発明によれば、底蓋の開閉操作を胴部の前側から行うことができるため、特に高齢化が進む農家にとって、安全に内容物の排出作業を行い得るフレキシブルコンテナを提供することができる。
【図面の簡単な説明】
【００１４】
【図１】本発明の第一実施形態に係るフレキシブルコンテナの開口状態の斜視図
【図２】同、正面図
【図３】同、側面図
【図４】同、底面開口を閉じる過程における各片の折り畳み態様を示した正面図
【図５】同、側面図
【図６】同、底面開口を閉じた状態を示した平面図
【図７】本発明の第二実施形態に係るフレキシブルコンテナの開口状態の斜視図
【図８】同、正面図
【図９】同、側面図
【図１０】同、底面開口を閉じる過程における各片の折り畳み態様を示した正面図
【図１１】同、側面図
【図１２】同、底面開口を閉じた状態を示した平面図
【発明を実施するための形態】
【００１５】
以下、本発明の好ましい実施の形態を添付した図面に従って説明する。図１〜３は本発明の第一実施形態として、特に人参の収穫・運搬に好適なフレキシブルコンテナ（開口状態）の斜視図・正面図・側面図であって、１は四周面を有する四角筒状の胴部、２は胴部１の上面開口１ａに連成した上蓋、３はその基端３ａを胴部１の底面開口１ｂの後方側に接続すると共に、先端側には胴部１の前方側の側面への折り返し部３ｂを有して底面開口１ｂを開閉する底蓋、４・５は底面開口１ｂの左右両辺１ｃ・１ｄと底蓋３の左右両辺３ｃ・３ｄとを接続する左右一対の側片、６は底面開口１ｂの前方辺１ｅと左右一対の側片４・５とを接続する前片である。また、７は胴部１の左右側面に設けた左右一対の吊りベルトであって、人参の収穫・運搬や排出時に本フレキシブルコンテナを吊り上げるものである。
【００１６】
さらに、底蓋３の折り返し部３ｂの左右２箇所にはＤ環８・８を設けると共に、胴部１の前方側の側面の対応する位置にはＤ環８・８に着脱可能に結束するテープ、ロープまたは紐などの結束紐９・９を設けている。
【００１７】
上記構成のフレキシブルコンテナは、人参の収穫・運搬時に際して、事前に底蓋３を前方側に回し込んで、その折り返し部３ｂを胴部１の前方側胴部面に折り返したうえ、Ｄ環８・８に結束紐９・９を結束することで胴部１の底面開口１ｂを閉じるもので、その際、左右一対の側片４・５と前片６は、図４・５に示したように、それぞれ谷折り線４ａ・５ａ・６ａによって胴部１の内側に折り畳まれる。
【００１８】
図６は、底蓋３を閉じた状態を胴部１の上面開口１ａから見た平面図であって、胴部１の底面開口１ｂは、その大部分である中央部が底蓋３によって完全に閉塞され、左右部分は、折り畳まれた左右一対の側片４・５によって完全に閉塞されると共に、前方は、折り畳まれた前片６によって完全に閉塞される。
【００１９】
したがって、底蓋３を閉じた際、折り返し部３ｂと底面開口１ｂの前方辺１ｅとの間に隙間が生じていても、上述のように底面開口１ｂは全周にわたって閉塞されるため、内容物である人参が前記隙間から漏出することがない。
【００２０】
一方、人参を排出する際は、結束紐９・９をほどけば、内容物の自重によって底蓋３が自然に開き、底面開口１ｂから人参を排出することができるのであるが、当該作業は胴部１の前方から行うことができるため安全である。
【００２１】
次に、図７〜９は本発明の第二実施形態に係るフレキシブルコンテナ（開口状態）を示したものであり、内容物として、茎付きで収穫した玉葱の収穫・運搬に好適なフレキシブルコンテナを例示しており、第一実施形態と共通する構成部分については同じ符号を付している。
【００２２】
本発明において、第二実施形態と第一実施形態の相違点は前片の構成にある。つまり、第一実施形態では、前片６が左右一対の側片４・５の間で連続する一枚の四角片（台形片）であってのに対し、第二実施形態では、左右一対の側片４・５それぞれで独立し、当該側片４・５の間を開放した三角片６’・６’としている。
【００２３】
この第二実施形態においても、収穫前に、図１０・１１に示したように、両側片４・５と共に前片である三角片６’・６’それぞれを谷折り線４ａ・５ａ・６’ａによって内側に折り畳みながら、底蓋３を前方側に回し込んで胴部１の底面開口１ｂを閉塞すること、また、折り返し部３ｂを胴部１の前方側胴部面に対してＤ環８と結束紐９との結束により固定することは第一実施形態と同じである。
【００２４】
図１２は、底蓋３を閉じた状態を胴部１の上方から見た平面図であって、第一実施形態（図６）と比較すると、底面開口１ｂの中央部と左右部分が底蓋３と両側片４・５によって完全に閉塞されることは第一実施形態と同じであるが、当該底面開口１ｂの前方部分については、第一実施形態では折り畳まれた前片６によって完全に閉塞されているのに対して、第二実施形態では、折り畳まれた前片６の間に開放部１０が形成される。
【００２５】
この開放部１０について、通常、折り返し部３ｂによって内容物の漏出がある程度規制されるが、仮に、第二実施形態のフレキシブルコンテナに人参やジャガイモなど、個々の大きさが比較的小さく、転がりやすい野菜を投入したとすれば、開放部１０を通して、折り畳み部３ｂと前方側胴部面の間から人参等が漏出することも考えられる。
【００２６】
しかし、内容物が茎付きの玉葱の場合は、茎の分だけ個々の大きさが比較的大きくなり、しかも、個々で茎が干渉し合って転がり難いため、収穫・運搬中に、茎付き玉葱が開放部１０から漏出することを規制することができる。
【００２７】
なお、前片６’を第二実施形態のようにしても、折り返し部３ｂの結束箇所を左右２箇所から３箇所以上とすれば、前方側胴部面との隙間を小さくできるため、この場合、当該第二実施形態のフレキシブルコンテナを人参やジャガイモの収穫・運搬に使用することができる。
【００２８】
一方、第一実施形態のフレキシブルコンテナに、茎付き玉葱の収穫・運搬に使用できることはもちろんである。
【００２９】
ところで、上記第一・第二実施形態とも、底蓋３は、その後方側を常閉の蓋１１として、底面開口１ｂの前方一部を開口するように構成している。これによって、底面開口１ｂの大きさを調整すると共に、胴部１の強度、及び保形性を確保している。ただし、胴部１の後方側胴部面の下端に底蓋３を直接延成して、底面開口１ｂを全面開口としてもよい。
【００３０】
さらに、第二実施形態では、胴部１の四周全面にＸ字状にポール１２を設けて、自立可能なフレキシブルコンテナとしているが、当該構成の採否も任意である。
【００３１】
さらにまた、内容物によって各種寸法を変更できるほか、胴部１等の素材は、内容物が人参であれば、空気との接触を極力避けるような密なクロス織地を採用する一方、玉葱であれば通気性を確保するためにメッシュ地を採用するなど、内容物に応じた素材を採用することができることはもちろんである。
【産業上の利用可能性】
【００３２】
本発明のフレキシブルコンテナは、上述のように、野菜の収穫・運搬に使用できる他、内容物はこれに限らず、従来、フレキシブルコンテナによって保管・運搬されているものに適用することができる。
【符号の説明】
【００３３】
１  胴部
１ｂ  底面開口
３  底蓋
３ｂ  折り返し部
４・５  側片
６・６’  前片
【図１】
2018002193.tif 000003
【図２】
2018002193.tif 000004
【図３】
2018002193.tif 000005
【図４】
2018002193.tif 000006
【図５】
2018002193.tif 000007
【図６】
2018002193.tif 000008
【図７】
2018002193.tif 000009
【図８】
2018002193.tif 000010
【図９】
2018002193.tif 000011
【図１０】
2018002193.tif 000012
【図１１】
2018002193.tif 000013
【図１２】
2018002193.tif 000014